(57)【要約】【課題】内部損傷の感知及び位置の判断を可能にする、チップオンフィルムパッケージ、またはベンディング領域を含む表示パネルを提供する。【解決手段】(i)第１パッド領域、第２パッド領域、及びこれらの間に位置する第３領域を含むベース基板；(ii)前記第１パッド領域に形成されるダミーパッド及び入力パッド；(iii)前記第２パッド領域に形成される出力パッド；(iv)前記ベース基板に形成され、前記入力パッドのうちの第１入力パッド及び第２入力パッドに連結され、前記第３領域及び前記第２パッド領域を経由して、前記第１入力パッドと前記第２入力パッドとの間に延びる第１ループを形成する第１検査線；及び(v)前記ベース基板に形成され、前記ダミーパッドに連結されるとともに前記第３領域にて前記第１検査線に連結されることで、前記第３領域を経由して前記ダミーパッドと前記第１入力パッドとの間に延びる第２ループを形成する第２検査線を含む。【選択図】図３ａ
2018128672.tif 000002
【特許請求の範囲】
【請求項１】
第１パッド領域、前記第１パッド領域と異なる第２パッド領域、及び前記第１パッド領域と前記第２パッド領域との間に位置する第３領域を含むベース基板と、
前記第１パッド領域に形成されるダミーパッド及び入力パッドと、
前記第２パッド領域に形成される出力パッドと、
前記ベース基板に形成され、前記入力パッドのうちの第１入力パッド及び第２入力パッドに連結され、前記第３領域及び前記第２パッド領域を経由して、前記第１入力パッドと前記第２入力パッドとの間に延びる第１ループを形成する第１検査線と、
前記ベース基板に形成され、前記ダミーパッドに連結されるとともに前記第３領域にて前記第１検査線に連結されることで、前記第３領域を経由して前記ダミーパッドと前記第１入力パッドとの間に延びる第２ループを形成する第２検査線と、
を含む、チップオンフィルムパッケージ。
【請求項２】
前記ダミーパッドは、前記入力パッドと、印刷回路基板の端子との間の整列状態の判断基準となりうるアラインキーを含むことを特徴とする、請求項１に記載のチップオンフィルムパッケージ。
【請求項３】
前記第１検査線は、
前記第１入力パッドと、前記出力パッドのうちの第１出力パッドとを連結する第１サブ検査線、及び、
前記第２入力パッドと、前記出力パッドのうちの第２出力パッドとを連結する第２サブ検査線を含み、
前記第２検査線は、前記第３領域にて前記第１サブ検査線と連結されることを特徴とする、請求項１に記載のチップオンフィルムパッケージ。
【請求項４】
前記ベース基板は、少なくとも一つの絶縁層を挟む複数の配線層を含み、
前記第２検査線は、前記複数の配線層にまたがって形成されることを特徴とする、請求項１に記載のチップオンフィルムパッケージ。
【請求項５】
前記第１検査線は、第１部分検査線及び第２部分検査線を含み、
前記第１部分検査線は、前記ベース基板の第１面に形成され、
前記第２部分検査線は、前記第１面とは逆の側の、前記ベース基板の第２面に形成され、
前記少なくとも一つの絶縁層に含まれたビアホールを通じて、前記第１部分検査線が前記第２部分検査線と連結されることを特徴とする、請求項４に記載のチップオンフィルムパッケージ。
【請求項６】
前記第２検査線は、前記第３領域中に、曲がりくねった線（meander line）をなすように形成された検査パターンを含むことを特徴とする、請求項１に記載のチップオンフィルムパッケージ。
【請求項７】
前記ダミーパッドは、前記第１パッド領域内で、前記入力パッド及び前記ダミーパッドがなすパッド列のうち、最も外側に位置することを特徴とする、請求項１に記載のチップオンフィルムパッケージ。
【請求項８】
前記第１パッド領域上に形成され、前記ダミーパッド及び前記入力パッドと連結される集積回路チップをさらに含み、
前記集積回路チップは、前記第１ループの第１抵抗値及び前記第２ループの第２抵抗値を算出し、前記第１抵抗値及び前記第２抵抗値に基づいて前記第２パッド領域及び前記第３領域のうち、少なくとも一つの領域での損傷発生の有無を判断することを特徴とする、請求項１に記載のチップオンフィルムパッケージ。
【請求項９】
前記集積回路チップは、
前記入力パッドの入力パッド抵抗値及び前記第１抵抗値に基づいて、前記第２パッド領域及び前記第３領域での損傷発生の有無を判断し、
前記入力パッド抵抗値及び前記第２抵抗値に基づいて、前記第３領域での損傷発生の有無を判断し、
前記第１抵抗値と前記第２抵抗値との間の差に基づいて、前記第２パッド領域内の損傷の有無を判断することを特徴とする、請求項８に記載のチップオンフィルムパッケージ。
【請求項１０】
前記ベース基板に形成されるダミー線をさらに含み、
前記ダミー線は、前記第２パッド領域に対応する前記ベース基板の一辺から、前記ベース基板を横切って前記ベース基板の他辺まで延長され、
前記第２検査線は、前記ダミー線の少なくとも一部を含むことを特徴とする、請求項８に記載のチップオンフィルムパッケージ。
【請求項１１】
前記第２パッド領域は、第１サブパッド領域及び第２サブパッド領域を含み、
前記第１サブパッド領域に第１出力パッド群が形成され、前記第２サブパッド領域に第２出力パッド群が形成され、
前記第１ループは第１サブループ及び第２サブループを含み、
前記第１サブループは、第１サブパッド領域を経由して前記第１入力パッドと前記第２入力パッドとを連結し、
前記第２サブループは、前記第２サブパッド領域を経由して前記第２入力パッドと、前記入力パッドのうちの第３入力パッドとを連結することを特徴とする、請求項１に記載のチップオンフィルムパッケージ。
【請求項１２】
前記第１検査線は、
前記第１入力パッドと、前記第１出力パッド群のうちの第１出力パッドとを連結する第１サブ検査線、
前記第２入力パッドと、前記第２出力パッド群のうちの第２出力パッドとを連結する第２サブ検査線、
前記第２入力パッドと、前記第１出力パッド群のうちの第３出力パッドとを連結する第３サブ検査線、及び、
前記第３入力パッドと、前記第２出力パッド群のうちの第４出力パッドとを連結する第４サブ検査線を含み、
前記第２検査線は、前記第１サブ検査線と連結されることを特徴とする、請求項１１に記載のチップオンフィルムパッケージ。
【請求項１３】
前記第３入力パッドと、前記入力パッドのうちの第４入力パッドとを、前記第１パッド領域の近傍にて連結して第３ループを形成する第３検査線をさらに含むことを特徴とする、請求項１１に記載のチップオンフィルムパッケージ。
【請求項１４】
前記第１パッド領域上に形成され、前記ダミーパッド及び前記入力パッドに連結される集積回路チップをさらに含み、
前記集積回路チップは、
前記第１ループの第１抵抗値、前記第２ループの第２抵抗値、及び前記第３ループの第３抵抗値を算出し、
前記第１抵抗値、前記第２抵抗値、及び前記第３抵抗値に基づいて、前記第１パッド領域、前記第２パッド領域、及び前記第３領域のうちの少なくとも一つの領域における損傷発生の有無を判断することを特徴とする、請求項１３に記載のチップオンフィルムパッケージ。
【請求項１５】
前記集積回路チップは、
前記第３抵抗値に基づいて、前記第１パッド領域、前記第２パッド領域、及び前記第３領域での損傷発生の有無を判断するのであり、
前記第３抵抗値に基づいて、前記第１パッド領域内の損傷発生の有無を判断し、
前記第１抵抗値と前記第２抵抗値との間の差に基づいて、前記第２パッド領域内の損傷の有無を判断し、
前記第２抵抗値と前記第３抵抗値との間の差に基づいて、前記第３領域内の損傷発生の有無を判断することを特徴とする、請求項１４に記載のチップオンフィルムパッケージ。
【請求項１６】
第１パッド領域及び前記第１パッド領域と異なる第２領域を含むベース基板と、
前記第１パッド領域に形成されるダミーパッド及びパッドと、
前記ベース基板に形成され、前記パッドのうちの第１パッド及び第２パッドと連結され、前記第２領域中にて前記ベース基板の外郭の少なくとも一部を経由して、前記第１パッドと前記第２パッドとの間に延びる第１ループを形成する第１検査線と、
前記ベース基板に形成され、前記ダミーパッドに連結されるとともに前記第２領域にて前記第１検査線に連結されることで、前記第２領域を経由して前記ダミーパッドと前記第１パッドとの間に延びる第２ループを形成する第２検査線を含む、表示パネル。
【請求項１７】
前記ダミーパッドは、チップオンフィルムパッケージまたは印刷回路基板の端子と、前記パッドとの間の整列状態の判断基準となりうるアラインキーを含むことを特徴とする、請求項１６に記載の表示パネル。
【請求項１８】
前記ベース基板は、少なくとも一つの絶縁層を挟む複数の配線層を含み、
前記第２検査線は、前記複数の配線層にまたがって形成されることを特徴とする、請求項１６に記載の表示パネル。
【請求項１９】
前記第２検査線は、前記第２領域中に、曲がりくねった線（meander line）をなすように形成された検査パターンを含むことを特徴とする、請求項１６に記載の表示パネル。
【請求項２０】
映像を表示する表示パネルと、
前記表示パネルを駆動する印刷回路基板と、
前記表示パネルと前記印刷回路基板とを電気的に連結するチップオンフィルムパッケージとを含み、
前記表示パネルまたは前記チップオンフィルムパッケージは、
第１パッド領域及び前記第１パッド領域と異なる第２領域を含むベース基板と、
前記第１パッド領域に形成されるダミーパッド及びパッドと、
前記ベース基板に形成され、前記パッドのうちの第１パッド及び第２パッドに連結され、前記第２領域中にて前記ベース基板の外郭の少なくとも一部を経由して、前記第１パッドと前記第２パッドとの間に延びる第１ループを形成する第１検査線と、
前記ベース基板に形成され、前記ダミーパッドに連結されるとともに前記第２領域にて前記第１検査線に連結されることで、前記第２領域を経由して前記ダミーパッドと前記第１パッドとの間に延びる第２ループを形成する第２検査線を含む、表示装置。
【請求項２１】
第１パッド領域、前記第１パッド領域と異なる第２パッド領域、及び前記第１パッド領域と前記第２パッド領域との間に位置する第３領域を含むベース基板と、
前記第１パッド領域に形成されるダミーパッド及び入力パッドと、
前記第２パッド領域に形成される出力パッドと、
前記ベース基板に形成され、前記第２パッド領域及び前記第３領域を通じて前記入力パッドのうちの第１入力パッドを前記入力パッドのうちの第２入力パッドに連結する第１検査線と、
前記ベース基板に形成され、前記第３領域を通じて前記ダミーパッドを前記第１検査線に連結する第２検査線と、
を含む、チップオンフィルムパッケージ。
【請求項２２】
前記第１検査線は第１サブ検査線及び第２パッド領域で前記第１サブ検査線と連結される第２サブ検査線を含み、
前記第１サブ検査線は前記入力パッドのうちの前記第１入力パッドを前記出力パッドのうちの第１出力パッドに連結し、
前記第２サブ検査線は前記入力パッドのうちの前記第２入力パッドを前記出力パッドのうちの第２出力パッドに連結することを特徴とする、請求項２１に記載のチップオンフィルムパッケージ。
【請求項２３】
前記第２検査線は前記第１サブ検査線と連結されることを特徴とする、請求項２２に記載のチップオンフィルムパッケージ。
【請求項２４】
前記ダミーパッド及び前記入力パッドと連結される検査回路をさらに含み、
前記検査回路は、前記第１入力パッドと前記第２入力パッドとの間の第１抵抗値、及び、前記ダミーパッドと前記第１入力パッドとの間の第２抵抗値を算出し、前記第１抵抗値及び前記第２抵抗値に基づいて前記第２パッド領域及び前記第３領域のうち、少なくとも１つの領域での損傷発生の有無を判断することを特徴とする、請求項２１に記載のチップオンフィルムパッケージ。
【請求項２５】
前記検査回路は、
前記入力パッドの入力パッド抵抗値及び前記第１抵抗値に基づいて前記第２パッド領域及び前記第３領域での損傷発生の有無を判断し、
前記入力パッド抵抗値及び前記第２抵抗値に基づいて前記第３領域での損傷発生の有無を判断し、
前記第１抵抗値と前記第２抵抗値との間の差に基づいて前記第２パッド領域内の損傷の有無を判断することを特徴とする、請求項２４に記載のチップオンフィルムパッケージ。
【発明の詳細な説明】
【技術分野】
【０００１】
本発明は表示装置に関し、より詳しくは、内部損傷を検出できるチップオンフィルムパッケージ、表示パネル、及び表示装置に関する。
【背景技術】
【０００２】
表示装置は、表示パネル、表示パネルを駆動させる印刷回路基板（printed circuit board；ＰＣＢ）及び表示パネルと印刷回路基板を電気的に連結するチップオンフィルム（chip on film；ＣＯＦ）パッケージを含む。
【０００３】
チップオンフィルムパッケージは、一端部が表示パネルの上部に取り付けられ、ベンディングされて表示パネルの下部に装着される。チップオンフィルムパッケージは、そのベンディング領域が限界曲率半径を超えるか、またはベンディングストレスが累積される場合、ベンディング領域でクラックが発生することがある。この場合、チップオンフィルムパッケージに含まれた信号線に欠陥が発生するか、またはチップオンフィルムパッケージに駆動不良が発生して表示装置の品質が低下することがある。
【発明の概要】
【発明が解決しようとする課題】
【０００４】
本発明の一目的は、簡単な構成で内部損傷の感知だけでなく、内部損傷の位置及び原因に対する分析を可能にするチップオンフィルムパッケージを提供することにある。
【０００５】
本発明の一目的は、簡単な構成で内部損傷の位置に対する判断を可能にする表示パネルを提供することにある。
【０００６】
本発明の一目的は、正常駆動中に内部損傷をモニタリングすることができる表示装置を提供することにある。
【課題を解決するための手段】
【０００７】
本発明の一目的を達成するために、本発明の実施形態に係るチップオンフィルムパッケージは、(i)ベンディング領域、第１パッド領域、及び前記第１パッド領域と異なる第２パッド領域を含むベース基板；(ii)前記第１パッド領域上に形成されるダミーパッド及び入力パッド；(iii)前記第２パッド領域上に形成される出力パッド；(iv)前記ベース基板上に形成され、前記入力パッドのうちの第１入力パッド及び第２入力パッドに連結され、前記ベンディング領域及び前記第２パッド領域を経由して、前記第１入力パッドと前記第２入力パッドとの間に延びる第１ループを形成する第１検査線；及び(v)前記ベンディング領域を含む領域上に形成され、前記ダミーパッドに連結されるとともに前記ベンディング領域と前記第２パッド領域との間の箇所、またはこれら２つの領域の境界の近傍にて前記第１検査線と連結されることで、前記ベンディング領域を経由して前記ダミーパッドと前記第１入力パッドとの間に延びる第２ループを形成する第２検査線を含むことができる。
【０００８】
一実施形態によれば、前記ダミーパッドは、前記入力パッドと、これに接続される一群の端子との間の整列状態の判断基準となりうるアラインキーを含むことができる。
【０００９】
一実施形態によれば、前記第１検査線は、前記第１入力パッドと、前記出力パッドのうちの第１出力パッドとを連結する第１サブ検査線；前記第２入力パッドと、前記出力パッドのうちの第２出力パッドとを連結する第２サブ検査線；及び、前記第１出力パッドと前記第２出力パッドとを前記第２パッド領域の近傍にて連結する第３サブ検査線を含み、前記第２検査線は前記第１サブ検査線と連結できる。
【００１０】
一実施形態によれば、前記チップオンフィルムパッケージは、前記ダミーパッドと前記第２入力パッドとを前記第１パッド領域の近傍にて連結する第３検査線をさらに含むことができる。
【００１１】
一実施形態によれば、前記ベース基板は、少なくとも一つの絶縁層を挟む複数の配線層を含み、前記第２検査線は前記複数の配線層にまたがって形成されうる。
【００１２】
一実施形態によれば、前記第１検査線は、第１部分検査線及び第２部分検査線を含み、前記第１部分検査線は前記ベース基板の第１面に形成され、前記第２部分検査線は、前記第１面とは逆の側の、前記ベース基板の第２面に形成され、前記少なくとも一つの絶縁層に含まれたビアホールを通じて前記第１部分検査線が前記第２部分検査線と連結されうる。
【００１３】
一実施形態によれば、前記第２検査線は、前記ベンディング領域中に、ジグザグ状、蛇行状、パルス波状、渦巻状などの曲がりくねった線（meander line）をなすように形成された検査パターンを含むことができる。ジグザグ状、蛇行状、パルス波状などの検査線は、パッドの配列方向に沿った方向（左右方向）、またはこれに垂直の方向へと振れるように形成することができる。
【００１４】
一実施形態によれば、前記ダミーパッドは、前記第１パッド領域内で、前記入力パッド及び前記ダミーパッドがなすパッド列のうちの最も外側、すなわち、両端または一端に位置することができる。
【００１５】
一実施形態によれば、前記第１パッド領域上に形成され、前記ダミーパッド及び前記入力パッドと連結される集積回路チップをさらに含み、前記集積回路チップは前記第１ループの第１抵抗値及び前記第２ループの第２抵抗値を算出し、前記第１抵抗値及び前記第２抵抗値に基づいて前記第２パッド領域及び前記第３領域のうち、少なくとも一つの領域での損傷発生の有無を判断することができる。
【００１６】
一実施形態によれば、前記入力パッドの入力パッド抵抗値及び前記第１抵抗値に基づいて前記第２パッド領域及び前記第３領域での損傷発生の有無を判断し、前記入力パッド抵抗値及び前記第２抵抗値に基づいて前記第３領域での損傷発生の有無を判断し、前記第１抵抗値と前記第２抵抗値との間の差に基づいて前記第２パッド領域内の損傷の有無を判断することができる。
【００１７】
一実施形態によれば、前記チップオンフィルムパッケージは、前記ベース基板上に形成されるダミー線をさらに含み、前記ダミー線は前記第２パッド領域に対応する前記ベース基板の一辺から前記ベース基板を横切って、前記一辺とは逆側の、前記ベース基板の他辺まで延長され、前記第２検査線は前記ダミー線の少なくとも一部、例えば実質上全部を含むのでありうる。
【００１８】
一実施形態によれば、前記第２パッド領域は、第１サブパッド領域及び第２サブパッド領域を含み、前記第１サブパッド領域に第１出力パッド群が形成され、前記第２サブパッド領域に第２出力パッド群が形成され、前記第１ループは第１サブループ及び第２サブループを含み、前記第１サブループは、第１サブパッド領域を経由して前記第１入力パッドと前記第２入力パッドとを連結し、前記第２サブループは、前記第２サブパッド領域を経由して前記第２入力パッドと前記入力パッドのうちの第３入力パッドとを連結することができる。
【００１９】
一実施形態によれば、前記第１検査線は、前記第１入力パッドと、前記第１出力パッド群のうちの第１出力パッドとを連結する第１サブ検査線；前記第２入力パッドと、前記第２出力パッド群のうちの第２出力パッドとを連結する第２サブ検査線；前記第２入力パッドと、前記第１出力パッド群のうちの第３出力パッドとを連結する第３サブ検査線；前記第３入力パッドと、前記第２出力パッド群のうちの第４出力パッドとを連結する第４サブ検査線；前記第１出力パッドと前記第３出力パッドとを連結する第５サブ検査線；前記第２出力パッドと前記第４出力パッドとを連結する第６サブ検査線を含み、前記第２検査線は、前記ベンディング領域と前記第２パッド領域との間の箇所、またはこれら２つの領域の境界の近傍にて、前記第１サブ検査線と連結されるのでありうる。
【００２０】
一実施形態によれば、前記チップオンフィルムパッケージは、前記第３入力パッドと、前記入力パッドのうちの第４入力パッドとを、前記第１パッド領域の近傍で連結して第４ループを形成する第４検査線をさらに含むことができる。
【００２１】
一実施形態によれば、前記チップオンフィルムパッケージは、前記第１パッド領域上に形成され、前記ダミーパッド及び前記入力パッドと連結される集積回路チップをさらに含み、前記集積回路チップは前記第１ループの第１抵抗値、前記第２ループの第２抵抗値、及び前記第４ループの第４抵抗値を算出し、前記第１抵抗値、前記第２抵抗値、及び前記第４抵抗値に基づいて前記入力パッド、前記出力パッド、及び前記ベンディング領域のうちの、少なくとも一つでの損傷発生の有無を判断することができる。
【００２２】
一実施形態によれば、前記集積回路チップは、前記第４抵抗値に基づいて前記入力パッド、前記出力パッド、及び前記ベンディング領域での損傷発生の有無を判断し、前記第４抵抗値に基づいて前記入力パッド内の損傷発生の有無を判断し、前記第１抵抗値と前記第２抵抗値との間の差に基づいて前記出力パッド内の損傷の有無を判断し、前記第２抵抗値及び前記第４抵抗値の間の差に基づいて前記ベンディング領域内の損傷発生の有無を判断することができる。
【００２３】
本発明の一目的を達成するために、本発明の実施形態に係る表示パネルは、第１パッド領域及び前記第１パッド領域と異なる第２領域を含むベース基板、前記第１パッド領域に形成されるダミーパッド及びパッド、前記ベース基板に形成され、前記パッドのうち、第１パッド及び第２パッドに連結され、前記第２領域中にて前記ベース基板の外郭の少なくとも一部を経由して、前記第１パッドと前記第２パッドとの間に延びる第１ループを形成する第１検査線、及び前記ベース基板に形成され、前記ダミーパッドに連結されるとともに前記第２領域にて前記第１検査線と連結されることで、前記第２領域を経由して前記ダミーパッドと前記第１パッドとの間に延びる第２ループを形成する第２検査線を含むことができる。
【００２４】
一実施形態によれば、前記ダミーパッドは、印刷回路基板またはチップオンフィルムパッケージの端子と、前記パッドとの間の整列状態の判断基準となるアラインキーを含むことができる。
【００２５】
一実施形態によれば、前記ベース基板は、少なくとも一つの絶縁層を挟む複数の配線層を含み、前記第２検査線は前記複数の配線層にまたがって形成されうる。
【００２６】
一実施形態によれば、前記第２検査線は、前記第２領域中に、ジグザグ状、蛇行状、パルス波状、渦巻状などの曲がりくねった線（meander line）をなすように形成された検査パターンを含むことができる。
【００２７】
本発明の一目的を達成するために、本発明の実施形態に係る表示装置は、映像を表示する表示パネル、前記表示パネルを駆動する印刷回路基板、及び前記表示パネルと前記印刷回路基板とを電気的に連結するチップオンフィルムパッケージを含み、前記表示パネルまたは前記チップオンフィルムパッケージは、第１パッド領域及び前記第１パッド領域と異なる第２領域を含むベース基板、前記第１パッド領域に形成されるダミーパッド及びパッド、前記ベース基板に形成され、前記パッドのうち、第１パッド及び第２パッドに連結され、前記第２領域中にて前記ベース基板の外郭の少なくとも一部を経由して前記第１パッドと前記第２パッドとの間に延びる第１ループを形成する第１検査線、及び前記ベース基板に形成され、前記ダミーパッドに連結されるとともに前記第２領域にて前記第１検査線と連結されることで、前記第２領域を経由して前記ダミーパッドと前記第１パッドとの間に第２ループを形成する第２検査線を含むことができる。
【発明の効果】
【００２８】
本発明の実施形態に係るチップオンフィルムパッケージは、第１検査線を備えることによって、外部検査装置をしてチップオンフィルムパッケージ内の損傷発生の有無を速かに判断できるようにすることができる。
【００２９】
また、チップオンフィルムパッケージは、ベンディング領域に形成された第２検査線を備えることによって、外部検査装置をして損傷発生位置／原因をより迅速でかつ正確に判断できるようにすることができる。
【００３０】
延いては、チップオンフィルムパッケージは、ダミーパッド（即ち、アラインキーを含み、一般的に使われないパッド）を用いることによって、別途の構成要素などを追加せず、単純な構造だけで内部損傷の発生の位置／原因に対する把握／分析を可能にすることができる。
【００３１】
本発明の実施形態に係る表示パネルは、第１検査線及びベンディング領域に形成された第２検査線を備えることによって、外部検査装置をして表示パネル内の損傷発生の有無を速かに判断できるようにすることができる。
【００３２】
本発明の実施形態に係る表示装置は、第１検査線、第２検査線、及び集積回路チップ（第１検査線及び第２検査線に連結される）を含むことによって、集積回路チップを用いて表示装置の駆動中にもチップオンフィルムパッケージ及び／又は表示パネル内の損傷発生の有無を持続的に検出（または、モニタリング）することができる。
【００３３】
但し、本発明の効果は前記効果に限定されるものではなく、本発明の思想及び領域から逸脱しない範囲で多様に拡張できる。
【図面の簡単な説明】
【００３４】
【図１】本発明の実施形態に係る表示装置を示す模式的な斜視図である。
【図２】チップオンフィルムパッケージをベンディングさせた状態の、図１の表示装置の一例を示す断面図である。
【図３ａ】は図１の表示装置に含まれたチップオンフィルムパッケージの一例を示す模式的な斜視図である。
【図３ｂ】図１の表示装置に含まれたチップオンフィルムパッケージの他の例を示す模式的な斜視図である。
【図４ａ】図３ｂのチップオンフィルムパッケージのベース基板の積層状態の一例を示す断面図である。
【図４ｂ】図３ｂのチップオンフィルムパッケージにおける検査線の配線構造の一例中、ベース基板の下面側の配線及びビアを示す平面図である。
【図４ｃ】図３ｂのチップオンフィルムパッケージにおける検査線の配線構造の一例中、ベース基板の上面側の配線及びビアを示す平面図である。
【図４ｄ】図３ｂのチップオンフィルムパッケージにおける検査線の配線構造の一例中、ベース基板の上下面の配線及びビアをまとめて示す平面図である。
【図４ｅ】図３ｂのチップオンフィルムパッケージにおける検査線の配線構造の一例中、表示基板上の短絡パッドを示す平面図である。
【図４ｆ】図３ｂのチップオンフィルムパッケージにおける検査線の配線構造の一例について、上下面の配線、ビア及び短絡パッドをまとめて示す平面図である。
【図５】図３ａのチップオンフィルムパッケージの一例を示す模式的な斜視図である。
【図６ａ】図５のチップオンフィルムパッケージの例（１）を示す平面図である。
【図６ｂ】図５のチップオンフィルムパッケージの例（２）を示す平面図である。
【図６ｃ】図５のチップオンフィルムパッケージの例（３）を示す平面図である。
【図７ａ】図１の表示装置に含まれたチップオンフィルムパッケージの例（４）を示す図である。
【図７ｂ】図１の表示装置に含まれたチップオンフィルムパッケージの例（５）を示す図である。
【図７ｃ】図１の表示装置に含まれたチップオンフィルムパッケージの例（６）を示す図である。
【図８ａ】図１の表示装置に含まれたチップオンフィルムパッケージの更に他の例を示す模式的な斜視図である。
【図８ｂ】図１の表示装置に含まれたチップオンフィルムパッケージの更に他の例を示す模式的な斜視図である。
【図９】表示パネルの端部をベンディングさせた状態の、図１の表示装置またはその他の表示装置についての一例を示す断面図である。
【図１０】図９の表示装置に含まれた表示パネルの一例を示す図である。
【発明を実施するための形態】
【００３５】
以下、添付した図面を参照して、本発明の実施形態をより詳しく説明しようとする。図面上の同一な構成要素に対しては同一または類似の参照符号を使用する。
【００３６】
図１は本発明の実施形態に係る表示装置を示す図であり、図２は図１の表示装置の一例を示す断面図である。
【００３７】
図１及び図２を参照すると、表示装置１０００は、表示パネル１００、チップオンフィルム（chip on film；以下、“ＣＯＦ”という）パッケージ２００、及び印刷回路基板３００を含むことができる。
【００３８】
表示パネル１００は、有機発光表示パネル（organic light emitting display panel）、液晶表示パネル（liquid crystal display panel）、プラズマ表示パネル（plasma display panel）、電気泳動表示パネル（electrophoretic display panel）、及びエレクトロウェッティング表示パネル（electrowetting display panel）などの多様な表示パネルを含むことができるが、以下では前記表示パネル１００は有機発光表示パネルであることを一例として説明する。
【００３９】
表示パネル１００は、映像を表示することができる。表示パネル１００は、第１基板１０及び第２基板２０を含むことができる。
【００４０】
第１基板１０は、表示領域（または、活性領域）にマトリックス形態に配置された画素を含むことができる。第１基板１０は、画素を駆動させるためのゲートドライバ（図示せず）及びデータドライバ（図示せず）をさらに含むことができる。平面上で第１基板１０は第２基板２０に比べてより広い面積を有することができる。第２基板２０と重畳しない第１基板１０上に、パッド（または、パッド電極）が形成できる。パッドはゲートドライバ及びデータドライバと電気的に連結できる。パッドに印加された信号はゲートドライバ及びデータドライバに伝達できる。
【００４１】
第２基板２０は、第１基板１０に接合されて第１基板１０に形成された画素、回路、及び配線を外部から封入させることができる。表示パネル１００は、第２基板２０の一面に付着されて外光反射を抑制する偏光フィルムをさらに含むことができる。
【００４２】
ＣＯＦパッケージ２００は、表示パネル１００及び印刷回路基板３００を電気的に連結することができる。ＣＯＦパッケージ２００は、ベース基板２２０（または、ベースフィルム、フレキシブル基板）と集積回路チップ２１０を含むことができる。ここで、集積回路チップ２１０は、図２に示すように、ベース基板２２０の上部に形成できる。以下では、ＣＯＦパッケージ２００の上面またはベース基板２２０の上面（または、上部）は集積回路チップ２１０が形成された面として定義し、ＣＯＦパッケージ２００の下面またはベース基板２２０の下面（または、下部）は集積回路チップ２１０が形成されない面として定義する。
【００４３】
ＣＯＦパッケージ２００の一端は、表示パネル１００のパッドにボンディングされて表示パネル１００に電気的に連結できる。類似するように、ＣＯＦパッケージ２００の他端は、前記印刷回路基板３００にボンディングされて電気的に連結できる。ＣＯＦパッケージ２００は、“Ｃ”形状に撓んだ状態で表示パネル１００に装着できる。例えば、ＣＯＦパッケージ２００の一端で、ベース基板２２０の下部に表示パネル１００が連結できる。また、ＣＯＦパッケージ２００の他端で、ベース基板２２０の上部に印刷回路基板３００が連結できる。
【００４４】
一方、図１で表示装置１０００は４個のＣＯＦパッケージ２００を含み、互いに第２方向（ＤＲ２）に離隔したものとして図示したが、本発明はこれに限定されるものではない。例えば、表示装置１０００は多様な個数のＣＯＦパッケージ２００を含むことができる。
【００４５】
印刷回路基板３００は、駆動基板及び表示パネル１００を駆動する多数の回路を含むことができる。ＣＯＦパッケージ２００が撓んで装着された状態で、印刷回路基板３００は第１基板１０の下部に位置するように配置できる。
【００４６】
図１に図示してはいないが、表示装置１０００はケースをさらに含み、表示パネル１００、ＣＯＦパッケージ２００、及び前記印刷回路基板３００は、ケースに収納できる。
【００４７】
図３ａは、図１の表示装置に含まれたチップオンフィルムパッケージの一例を示す図である。
【００４８】
図１、図２、及び図３ａを参照すると、ＣＯＦパッケージ２００は、ベース基板２２０、複数のパッド（または、複数のパッド端子）、集積回路チップ２１０、第１検査線ＴＬ１、及び第２検査線ＴＬ２を含むことができる。
【００４９】
平面上でＣＯＦパッケージ２００はベンディング領域ＢＡと非ベンディング領域ＮＡを含むことができる。ベンディング領域ＢＡは、ＣＯＦパッケージ２００が撓むことによって、実際にベンディングが発生する領域でありうる。ベンディング領域ＢＡは、第１方向（ＤＲ１）に一定の幅を有し、第２方向（ＤＲ２）に延長できる。非ベンディング領域ＮＡは、ＣＯＦパッケージ２００が撓んでもベンディングが発生しない領域でありうる。非ベンディング領域ＮＡは、ベース基板２２０からベンディング領域ＢＡを除外した領域でありうる。
【００５０】
非ベンディング領域ＮＡは、第１パッド領域ＡＲ１（または、第１ボンディング領域、入力アウターリードボンディング領域（input outer lead bonding area））及び第２パッド領域ＡＲ２（または、第２ボンディング領域、出力アウターリードボンディング領域（output outer lead bonding area））を含むことができる。第１パッド領域ＡＲ１は印刷回路基板３００にボンディングされる領域であって、入力パッドＩＴＰ１、ＩＴＰ２、ダミーパッドＤＰ、及び信号パッドＳＰを含むことができる。第２パッド領域ＡＲ２は表示パネル１００にボンディングされる領域であって、出力パッドＯＴＰ１、ＯＴＰ２、及び信号パッドＳＰを含むことができる。第１パッド領域ＡＲ１はＣＯＦパッケージ２００の第１方向（ＤＲ１）への一端に（または、一端に隣接して）位置し、第２パッド領域ＡＲ２はＣＯＦパッケージ２００の第１方向（ＤＲ１）への他端に（または、他端に隣接して）位置することができる。
【００５１】
第１パッド領域ＡＲ１及び第２パッド領域ＡＲ２はベンディング領域ＢＡから離隔できる。第１パッド領域ＡＲ１と第２パッド領域ＡＲ２との間には第３領域ＡＲ３が位置することができる。ベンディング領域ＢＡは、第３領域ＡＲ３に含まれ、第１パッド領域ＡＲ１と集積回路チップ２１０との間の一部領域であるか、または第２ボンディング領域ＡＲ２と集積回路チップ２１０との間の一部の領域でありうる。図３でベンディング領域ＢＡは、第２ボンディング領域ＡＲ２と集積回路チップ２１０との間の一部の領域であることを一例として図示した。
【００５２】
ベース基板２２０は、フレキシブルなフィルムでありうる。ベース基板２２０は互いに対向する上面及び下面を含むことができる。集積回路チップ２１０は、ベース基板２２０の上面上に形成できる。集積回路チップ２１０は複数の端子を含み、信号線を通じて信号パッドＳＰに電気的に連結できる。
【００５３】
第１パッド領域ＡＲ１及び第２パッド領域ＡＲ２での、表示パネル１００や印刷回路基板３００の端子部とのボンディング、及び、集積回路チップ２１０を実装するためのボンディングは、異方性導電フィルム（ａｎｉｓｏｔｒｏｐｉｃ  ｃｏｎｄｕｃｔｉｖｅ  ｆｉｌｍ、ＡＣＦ）を介して行うことができる。異方性導電フィルムは、導電層を含む導電ボールが、ベースとなる絶縁性樹脂中に分散されたものであり、例えば表示パネル上や、印刷回路基板上に形成または配置した後、異方性導電フィルム（ＡＣＦ）を挟むようにして圧着を行うことで、ボンディングを実現できる。この際の圧着の不良、または、外力や振動によりパッド接続部での端子抵抗が大きくなった場合にも、後述のように本願の検査線を用いた検出が可能である。
【００５４】
第１検査線ＴＬ１はベース基板２２０上に形成され、第１入力パッドＩＴＰ１及び第２入力パッドＩＴＰ２に連結できる。第１検査線ＴＬ１は第２パッド領域ＡＲ２を経由して第１入力パッドＩＴＰ１及び第２入力パッドＩＴＰ２の間に第１ループを形成することができる。
【００５５】
一実施形態で、第１検査線ＴＬ１は第１サブ検査線ＳＴＬ１及び第２サブ検査線ＳＴＬ２を含むことができる。ここで、第１サブ検査線ＳＴＬ１は第１入力パッドＩＴＰ１及び第１出力パッドＯＴＰ１を連結することができる。類似するように、第２サブ検査線ＳＴＬ２は、第２入力パッドＩＴＰ２と第２出力パッドＯＴＰ２とを連結することができる。第１サブ検査線ＳＴＬ１と第２サブ検査線ＳＴＬ２とは、第２方向（ＤＲ２）に離隔し、第１サブ検査線ＳＴＬ１及び第２サブ検査線ＳＴＬ１の各々は第１方向（ＤＲ１）に延長され、概して直線でありうる。第１サブ検査線ＳＴＬ１と第２サブ検査線ＳＴＬ２とは、第１短絡（short）パッドＯＴＳ１を通じて、第２パッド領域ＡＲ２にて相互に連結されうる。ここで、第１短絡パッドＯＴＳ１は、表示パネル１００に含まれ、第１基板１０に、第１出力パッドＯＴＰ１及び第２出力パッドＯＴＰ２に対応して形成できる。すなわち、第１出力パッドＯＴＰ１に少なくとも部分的に重なり合う領域から、第２出力パッドＯＴＰ２に少なくとも部分的に重なり合う領域にまで延びるように形成されうる。ＣＯＦパッケージ２００が表示パネル１００にボンディングされる場合、第１短絡パッドＯＴＳ１は、第１出力パッドＯＴＰ１と第２出力パッドＯＴＰ２とを最短距離で連結することができる。
【００５６】
なお、表示装置１００を製造する工程の最中に、外部検査装置を用いてＣＯＦパッケージ２００の損傷発生の有無を判断する検査が遂行できる。このために、外部検査装置は、第１入力パッドＩＴＰ１及び第２入力パッドＩＴＰ２に連結できる。外部検査装置は、第１入力パッドＩＴＰ１及び第２入力パッドＩＴＰ２のうちの一つ（例えば、第１入力パッドＩＴＰ１）に検査信号を印加し、第１入力パッドＩＴＰ１及び第２入力パッドＩＴＰ２のうちの他の一つ（例えば、第２入力パッドＩＴＰ２）を通じて第１測定信号を受信することで、検査信号及び第１測定信号に基づいてＣＯＦパッケージ２００の損傷の有無を判断することができる。例えば、外部検査装置は、第１入力パッドＩＴＰ１と第２入力パッドＩＴＰ２との間に第１検査電圧を印加し、第２入力パッドＩＴＰ２を通じて第１測定電流を受信し、第１検査電圧及び第１測定電流に基づいて第１ループの第１抵抗値を算出することができる。ここで、第１ループの第１抵抗値は、第１及び第２入力パッドＩＴＰ１、ＩＴＰ２の抵抗値（または、圧着抵抗値、ボンディング抵抗値、接触抵抗値）、第１及び第２出力パッドＯＴＰ１、ＯＴＰ２の抵抗値及び第１検査線ＴＬ１の抵抗値を含み、以下の＜数式１＞のように表現できる。
【００５７】
＜数式１＞
Ｒ１＝ＲＩＴＰ１＋ＲＩＴＰ２＋ＲＯＴＰ１＋ＲＯＴＰ２＋ＲＴＬ１
【００５８】
ここで、Ｒ１は第１ループの第１抵抗値、ＲＩＴＰ１は第１入力パッドＩＴＰ１の抵抗値、ＲＩＴＰ２は第２入力パッドＩＴＰ２の抵抗値、ＲＯＴＰ１は第１出力パッドＯＴＰ１の抵抗値、ＲＯＴＰ１は第２出力パッドＯＴＰ１の抵抗値、ＲＴＬ１は第１検査線ＴＬ１の抵抗値を示す。
【００５９】
したがって、外部検査装置は、ＣＯＦパッケージ２００内における、第１パッド領域ＡＲ１、第２パッド領域ＡＲ２、及びベンディング領域ＢＡなど、全ての領域での損傷発生の有無を、速かに判断することができる。
【００６０】
但し、第１検査線ＴＬ１のみを用いてＣＯＦパッケージ２００の損傷の有無を判断する場合、パッケージ２００の正確な損傷原因、損傷発生位置などが把握できないことがある。例えば、ＣＯＦパッケージ２００内の損傷は、第１及び第２入力パッドＩＴＰ１、ＩＴＰ２の不良、第２パッド領域ＡＲ２の圧着不良、及びベンディング領域ＢＡでのクラックなどに起因するのでありうる。したがって、本発明の実施形態に係るＣＯＦパッケージ２００は、第１検査線ＴＬ１以外に第２検査線ＴＬ２を含み、第２検査線ＴＬ２を用いてＣＯＦパッケージ２００内における損傷の発生の原因または位置をより正確に分析することができる。
【００６１】
第２検査線ＴＬ２は、ベース基板２２０に形成され、かつ第３領域ＡＲ３を経由し、ダミーパッドＤＰ及び第１検査線ＴＬ１（または、第１サブ検査線ＳＴＬ１）と連結されて、ダミーパッドＤＰと第１入力パッドＩＴＰ１との間に第２ループを形成することができる。第２検査線ＴＬ２はベンディング領域ＢＡを経由することができる。
【００６２】
一実施形態で、ダミーパッドＤＰはアラインキー（align key）ＡＫを含むことができる。例えば、ダミーパッドＤＰがアラインキー形状を有するように一体形成できる。ここで、アラインキー（align key）は、入力パッドＩＴＰ１、ＩＴＰ２、及び信号パッドＳＰと、印刷回路基板３００の端子群との間の整列状態を判断する基準に利用されるか、またはＣＯＦパッケージ２００が印刷回路基板３００に連結される場合に、ＣＯＦパッケージ２００と印刷回路基板３００との間の整列状態を判断する基準に利用できる。図８を参照して後述するが、ＣＯＦパッケージ２００の構造によって、ダミーパッドは、一般的に、信号線または検査線と連結されず、信号伝達のための機能に使われないことがある。したがって、本発明の実施形態に係るＣＯＦパッケージ２００は、ダミーパッド（または、アラインキーを含むパッド）を用いて第２検査線ＴＬ２を形成することによって、第１パッド領域ＡＲ１の面積が増加することを防止し、製造費用を相対的に低減させることができる。
【００６３】
この場合、外部検査装置は、ダミーパッドＤＰ及び第１入力パッドＩＴＰ１のうちの一つ（例えば、第１入力パッドＩＴＰ１）に検査信号を印加し、ダミーパッドＤＰ及び第１入力パッドＩＴＰ１のうちの他の一つ（例えば、ダミーパッドＤＰ）を通じて第２測定信号を受信し、検査信号及び第２測定信号に基づいて、ＣＯＦパッケージ２００の損傷発生の位置を判断することができる。例えば、外部検査装置は、ダミーパッドＤＰと第１入力パッドＩＴＰ１との間に第２検査電圧を印加し、ダミーパッドＤＰを通じて第２測定電流を受信し、第２検査電圧及び第２測定電流に基づいて、第２ループの第２抵抗値を算出することができる。ここで、第２ループの第２抵抗値はダミーパッドＤＰ及び第１入力パッドＩＴＰ１の抵抗値（または、圧着抵抗値、ボンディング抵抗値、接触抵抗値）及び第２検査線ＴＬ２の抵抗値を含み、以下の＜数式２＞のように表現できる。
【００６４】
＜数式２＞
Ｒ２＝ＲＤＰ＋ＲＩＴＰ１＋ＲＴＬ２
【００６５】
ここで、Ｒ２は第２ループの第２抵抗値、ＲＤＰはダミーパッドＤＰの抵抗値、ＲＩＴＰ１は第１入力パッドＩＴＰ１の抵抗値、ＲＴＬ２は第２検査線ＴＬ２の抵抗値を示す。
【００６６】
一方、ダミーパッドＤＰは、第１入力パッドＩＴＰ１と類似しており（例えば、同一の面積を有して）入力パッドＩＴＰ１と隣接するので（例えば、同一な具合に圧着されるので）、第１入力パッドＩＴＰ１の抵抗値と実質的に同一の抵抗値を有することができる。一方、第２検査線ＴＬ２は、第１検査線ＴＬ１と同一の抵抗値を有するように設定できる。この場合、前記＜数式２＞は以下の＜数式３＞のようにも表現できる。
【００６７】
＜数式３＞
Ｒ２＝２ＲＩＴＰ１＋ＲＴＬ１
【００６８】
同様に、第２入力パッドＩＴＰ２は第１入力パッドＩＴＰ１と類似しており、第２出力パッドＯＴＰ２は第１出力パッドＯＴＰ１と類似しているので、前述した＜数式１＞は以下の＜数式４＞のようにも表現できる。
【００６９】
＜数式４＞
Ｒ１＝２ＲＩＴＰ１＋２ＲＯＴＰ１＋ＲＴＬ１
【００７０】
したがって、外部検査装置は既に設定された入力パッドの抵抗値、＜数式３＞及び＜数式４＞に基づいて、出力パッドＯＴＰ１、ＯＴＰ２及び検査線ＴＬ１、ＴＬ２の抵抗値を算出することができ、抵抗値の変化に基づいて損傷発生の位置を判断することができる。
【００７１】
図３ａを参照して説明したように、本発明の実施形態に係るＣＯＦパッケージ２００は、第１検査線ＴＬ１を備えることによって、外部検査装置をしてＣＯＦパッケージ２００内の損傷発生の有無を速かに判断できるようにし、第２検査線ＴＬ２を備えることによって、損傷発生の位置／原因をより迅速かつ正確に判断できるようにすることができる。特に、ＣＯＦパッケージ２００はダミーパッド（即ち、アラインキーを含み、一般的に使われないパッド）を用いることによって、別途の構成要素などを追加せず、単純な構造だけでＣＯＦパッケージ２００内の損傷の発生の位置／原因を把握可能にすることができる。
【００７２】
図３ｂは、図１の表示装置に含まれたチップオンフィルムパッケージの他の例を示す図である。
【００７３】
図３ａ及び図３ｂを参照すると、図３ｂに図示されたＣＯＦパッケージ２００は、出力パッド（ＯＴＰ１〜ＯＴＰ４）の配列及び第１検査線ＴＬ１の連結構成を除いて、図３ａに図示されたＣＯＦパッケージ２００と実質的に同一または類似でありうる。したがって、重複説明は省略する。
【００７４】
第２パッド領域ＡＲ２は、第１サブパッド領域ＡＲＳ１及び第２サブパッド領域ＡＲＳ２を含むことができる。第１サブパッド領域ＡＲＳ１は第１及び第３出力パッドＯＴＰ１、ＯＴＰ３を含み、第２サブパッド領域ＡＲＳ２は第２及び第４出力パッドＯＴＰ２、ＯＴＰ４を含むことができる。印刷回路基板３００の左右方向（図１、３ａ及び３ｂの第２方向（ＤＲ２）の寸法が狭くなる場合、出力パッド（ＯＴＰ１〜ＯＴＰ４）間の間隔（または、ピッチ）が狭くなって、短絡といった不良が発生することがある。したがって、ＣＯＦパッケージ２００は、出力パッド（ＯＴＰ１〜ＯＴＰ４）を２列に配列するか、または、出力パッド（ＯＴＰ１〜ＯＴＰ４）及び信号パッドＳＰを２列に配列して、不良発生を防止することができる。
【００７５】
一方、図３ｂにて、第１サブパッド領域ＡＲＳ１は奇数番目パッド（または、出力パッド）を含み、第２サブパッド領域ＡＲＳ２は偶数番目パッド（または、出力パッド）を含むものとして図示されているが、本発明はこれに限定されるものではない。例えば、第１サブパッド領域ＡＲＳ１が偶数番目パッドを含むのであるか、または隣接する二つのパッドが一つの単位（組）をなし、この単位が第１及び第２サブパッド領域ＡＲＳ１、ＡＲＳ２に交互に配置されるのでありうる。
【００７６】
第１検査線ＴＬ１は第３〜第６サブ検査線（ＳＴＬ３〜ＳＴＬ６）を含むことができる。第３サブ検査線ＳＴＬ３は、第１入力パッドＩＴＬ１と第１出力パッドＯＴＰ１とを連結することができる。第４サブ検査線ＳＴＬ４は、第２入力パッドＩＴＬ２と第２出力パッドＯＴＰ２とを連結することができる。第５サブ検査線ＳＴＬ５は、第２入力パッドＩＴＬ２と第３出力パッドＯＴＰ３とを連結することができる。第６サブ検査線ＳＴＬ６は、第３入力パッドＩＴＬ３と第４出力パッドＯＴＰ４とを連結することができる。第１出力パッドＯＴＬ１と第３出力パッドＯＴＰ３とは、第２短絡パッドＯＴＳ２を通じて相互連結されうるのであり、第２出力パッドＯＴＬ２と第４出力パッドＯＴＰ４とは、第３短絡パッドＯＴＳ３を通じて相互連結されうる。図３ａを参照して説明した第１短絡パッドＯＴＳ１と同様に、第２短絡パッドＯＴＳ２と第３短絡パッドＯＴＳ３は、表示パネル１００に含まれることができる。第２短絡パッドＯＴＳ２は、第１基板１０に、第１出力パッドＯＴＰ１及び第３出力パッドＯＴＰ３に対応して形成され、第１出力パッドＯＴＰ１及び第３出力パッドＯＴＰ３を最短距離で連結するのでありうる。同様に、第３短絡パッドＯＴＳ３は、第１基板１０に、第２出力パッドＯＴＰ２及び第４出力パッドＯＴＰ４に対応して形成され、第２出力パッドＯＴＰ２及び第４出力パッドＯＴＰ４を最短距離で連結するのでありうる。第３〜第６サブ検査線（ＳＴＬ３〜ＳＴＬ６）は、第２方向（ＤＲ２）に互いに離隔し、概ね第１方向（ＤＲ１）に延びるのでありうる。
【００７７】
この場合、第３サブ検査線ＳＴＬ３、第５サブ検査線ＳＴＬ５、及び第２短絡パッドＯＴＳ２により、第１サブループが形成されうる。即ち、第１サブループは、第１入力パッドＩＴＰ１及び第２入力パッドＩＴＰ２と連結されうるのであって、第１サブパッド領域ＡＲＳ１を経由して第１入力パッドＩＴＰ１と第２入力パッドＩＴＰ２との間に延びるように形成できる。同様に、第４サブ検査線ＳＴＬ４、第６サブ検査線ＳＴＬ６、及び第３短絡パッドＯＴＳ３により第２サブループが形成されうるのであり、第２ループは第１及び第２サブループを含むことができる。即ち、第２サブループは、第２入力パッドＩＴＰ２及び第３入力パッドＩＴＰ３と連結されうるのであって、第２サブパッド領域ＡＲＳ２を経由して第２入力パッドＩＴＰ２と第３入力パッドＩＴＰ３との間に延びるように形成できる。
【００７８】
第２検査線ＴＬ２は、ベース基板２２０に形成されうるのであって、第３領域ＡＲ３を経由して延びてダミーパッドＤＰと第１検査線ＴＬ１（または、第３サブ検査線ＳＴＬ３）とを連結できる。第２検査線ＴＬ２はベンディング領域ＢＡを経由して延びることができる。ダミーパッドは、アラインキー（align key）ＡＫを含むことができる。
【００７９】
一方、ＣＯＦパッケージ２００は第３検査線ＴＬ３をさらに含むことができる。第３検査線ＴＬ３は、第３入力パッドＩＴＰ３と第４入力パッドＩＴＰ４とを連結することで第４ループを形成することができる。第３検査線ＴＬ３は、比較的短い経路を有するようにして第３入力パッドＩＴＰ３及び第４入力パッドＩＴＰ４を連結することができる。
【００８０】
図３ａを参照して説明したように、表示装置１００の製造工程の最中に、外部検査装置を用いてＣＯＦパッケージ２００の損傷発生の有無を判断する検査が遂行できる。
【００８１】
外部検査装置は、第１入力パッドＩＴＰ１と第３入力パッドＩＴＰ３との間に第１検査電圧を印加し、第３入力パッドＩＴＰ３を通じて第１測定電流を受信し、第１検査電圧及び第１測定電流に基づいて、第１ループの第１抵抗値を算出することができる。ここで、第１ループは、図３ｂで、第１入力パッドＩＴＰ１及び第３入力パッドＩＴＰ３を連結する経路を示す。第１ループの第１抵抗値は第１及び第３入力パッドＩＴＰ１、ＩＴＰ３の抵抗値（または、圧着抵抗値、ボンディング抵抗値、接触抵抗値）、第１〜第４出力パッド（ＯＴＰ１〜ＯＴＰ４）の抵抗値及び第１検査線ＴＬ１の抵抗値を含み、以下の＜数式５＞のように表現できる。
【００８２】
＜数式５＞
Ｒ１＝２ＲＩＴＰ１＋４ＲＯＴＰ１＋ＲＴＬ１
【００８３】
ここで、第３入力パッドＩＴＰ３の抵抗値は第１入力パッドＩＴＰ１の抵抗値と同一であと仮定し、第２〜第４出力パッドＯＴＰ２、ＯＴＰ３、ＯＴＰ４の各々の抵抗値は第１出力パッドＯＴＰ１の抵抗値と同一であると仮定している。また、Ｒ１は第１ループの第１抵抗値、ＲＯＴＰ１は第１出力パッドＯＴＰ１の抵抗値、ＲＴＬ１は第１検査線ＴＬ１の抵抗値である。
【００８４】
第１ループの第１抵抗値が基準抵抗値の誤差範囲から外れた場合（特に、基準抵抗値より大きい場合）、外部検査装置はＣＯＦパッケージ２００内の損傷が発生したと判断することができる。
【００８５】
外部検査装置は、第３入力パッドＩＴＰ３と第４入力パッドＩＴＰ４との間に第４検査電圧を印加することによって、第１パッド領域ＡＲ１での損傷発生の有無を判断することができる。また、外部検査装置は、ダミーパッドＤＰと第１入力パッドＩＴＰ１との間に第２検査電圧を印加することによって、＜数式３＞に基づいてベンディング領域ＢＡなどでの損傷発生の有無を判断することができる。延（ひ）いては、外部検査装置は＜数式３＞及び＜数式５＞に基づいて第２パッド領域ＡＲ２での損傷発生の有無を判断することができる。同様にして、外部検査装置は、第２パッド領域ＡＲ２のうち、第１サブパッド領域ＡＲＳ１及び第２サブパッド領域ＡＲＳ２での損傷発生の有無を各々判断することができる。
【００８６】
図３ｂを参照して説明したように、本発明の実施形態に係るＣＯＦパッケージ２００は２列に配列されたパッドを含み、第１検査線ＴＬ１を備えることによって、外部検査装置をしてＣＯＦパッケージ２００内の損傷発生の有無を速かに判断できるようにすることができる。また、ＣＯＦパッケージ２００は第２検査線ＴＬ２を備えることによって、外部検査装置をして損傷発生の位置／原因をより迅速かつ正確に判断できるようにすることができる。
【００８７】
一方、図３ｂで第２パッド領域ＡＲ２のみ２列に配列されたパッドを含むものとして図示されているが、本発明はこれに限定されるものではない。例えば、表示パネル１００（例えば、ヘッドマウントディスプレイ(頭部装着表示パネル；head mounted display panel)）のように表示パネル１００の左右方向（第２方向ＤＲ２）の寸法が小さくなる場合、ＣＯＦパッケージ２００は、第１パッド領域ＡＲ１に２列に配列されたパッドを含むことができる。
【００８８】
図４ａ〜図４ｆは、図３ｂのチップオンフィルムパッケージの一例を示す図である。
【００８９】
図１及び図４ａ〜図４ｆを参照すると、図１のＣＯＦパッケージ２００の状態（即ち、ＣＯＦパッケージ２００がベンディングされずに表示パネル１００に連結された状態）を基準に、図１のＩ−Ｉ’ラインに沿ってＣＯＦパッケージ２００を切断した断面図（図４ａ）及びＣＯＦパッケージ２００の平面図（図４ｂ〜４ｄ）が図示されている。
【００９０】
ベース基板２２０は配線形成基材としての一つ以上の絶縁層（insulator layers）を含み、第１検査線ＴＬ１及び第２検査線ＴＬ２の各々は一つ以上の絶縁層を配線形成基材として、その少なくとも一方の面に形成できる。
【００９１】
ベース基板２２０は、第１絶縁層Ｌ２を含むことができる。第１絶縁層Ｌ２の一面（例えば、下面）には第１導電層Ｌ１が形成され、第１絶縁層Ｌ２の他面（例えば、上面）には第２導電層Ｌ３が形成されるのでありうる。第１検査線ＴＬ１及び第２検査線ＴＬ２は、それぞれ、第１導電層Ｌ１及び第２導電層Ｌ３で形成できる。第１導電層Ｌ１及び第２導電層Ｌ３は、銅（Ｃｕ）、ニッケル（Ｎｉ）、金（Ａｕ）といった金属を含むことで相対的に高い電気伝導度を有することができる。図４ａには、ベース基板２２０が一つの絶縁層（第１絶縁層Ｌ２）を含むものとして図示されているが、本発明はこれに限定されるものではない。例えば、ベース基板２２０は、複数の絶縁層を含む任意のフレキシブル基板に該当しうる。この場合、複数の絶縁層を配線形成基材として第１検査線ＴＬ１及び第２検査線ＴＬ２が形成できる。例えば、第１検査線ＴＬ１及び第２検査線ＴＬ２は、複数の絶縁層の全体の上面もしくは下面、または複数の絶縁層の間に、互いに分けて配置できる。
【００９２】
一方、図４ａに図示された点線は、第２絶縁層Ｌ２を貫通して第１導電層Ｌ１の特定地点と第３導電層Ｌ３の特定地点を電気的に連結するビアＶＩＡ（または、ビア構造物）を示すのでありうる。
【００９３】
図４ｂに示すように、第１導電層Ｌ１には、第１〜第４出力パッドＯＴＰ１、ＯＴＰ２、ＯＴＰ３、ＯＴＰ４、第２検査線ＴＬ２の第１部分検査線ＴＬ２−１、第３サブ検査線ＳＴＬ３の第１サブ部分検査線ＳＴＬ３−１、及び第５サブ検査線ＳＴＬ５が形成されうる。第１サブ部分検査線ＳＴＬ３−１は、第１出力パッドＯＴＰ１と第２ビアＶＩＡ２に連結されたものでありうる。第５サブ検査線ＳＴＬ５は、第３出力パッドＯＴＰ３と第３ビアＶＩＡ３に連結されたものでありうる。第１部分検査線ＴＬ２−１は、第１サブ部分検査線ＳＴＬ３−１及び第１ビアＶＩＡ１に連結されたものでありうる。
【００９４】
一方、図４ｃに示すように、第３導電層Ｌ３には、第２検査線ＴＬ２の第２部分検査線ＴＬ２−２、第３サブ検査線ＳＴＬ３の第２サブ部分検査線ＳＴＬ３−２、第４サブ検査線ＳＴＬ４、第６サブ検査線ＳＴＬ６、及び第３検査線ＴＬ３が形成されうる。第２部分検査線ＴＬ２−２は第１ビアＶＩＡ１と連結され、第２サブ部分検査線ＳＴＬ３−２は第２ビアＶＩＡ２と連結されたものでありうる。第４サブ検査線ＳＴＬ４は、第３ビアＶＩＡ３と第４ビアＶＩＡ４とに連結されたものでありうる。第６サブ検査線ＳＴＬ６は、第５ビアＶＩＡ５と第３検査線ＴＬ３とに連結されたものでありうる。
【００９５】
図４ｄは、順次に積層された第１導電層Ｌ１、第２絶縁層Ｌ２、及び第３導電層Ｌ３を図示している。
【００９６】
第２検査線ＴＬ２は、第１導電層Ｌ１に形成された第１部分検査線ＴＬ２−１、及び、第３導電層Ｌ３に形成された第２部分検査線ＴＬ２−２を含み、第１部分検査線ＴＬ２−１及び第２部分検査線ＴＬ２−２は、第１ビアＶＩＡ１を通じて互いに連結できる。即ち、第２検査線ＴＬ２は、第１導電層Ｌ１及び第３導電層Ｌ３の中を延びるように形成できる。
【００９７】
同様に、第３サブ検査線ＳＴＬ３は第１導電層Ｌ１に形成された第１サブ部分検査線ＳＴＬ３−１及び第３導電層Ｌ３に形成された第２サブ部分検査線ＳＴＬ３−２を含み、第１サブ部分検査線ＳＴＬ３−１及び第２サブ部分検査線ＳＴＬ３−２は、第２ビアＶＩＡ２を通じて互いに連結できる。即ち、第３サブ検査線ＳＴＬ３は、第１導電層Ｌ１及び第３導電層Ｌ３にまたがって形成されうる。
【００９８】
一方、第４サブ検査線ＳＴＬ４は、第４ビアＶＩＡ４を通じて第１導電層Ｌ１に形成された第２出力パッドＯＴＰ２と連結され、第３ビアＶＩＡ３を通じて第１導電層Ｌ１に形成された第５サブ検査線ＳＴＬ５と連結されたものでありうる。
【００９９】
同様に、第６サブ検査線ＳＴＬ６は、第５ビアＶＩＡ５を通じて第１導電層Ｌ１に形成された第４出力パッドＯＴＰ４と連結されうる。
【０１００】
一方、図４ｅに示すように、表示パネル１００の第１基板１０は、第１〜第４出力パッド（ＯＴＰ１〜ＯＴＰ４）に対応して、第２短絡パッドＯＴＳ２及び第３短絡パッドＯＴＳ３を含むことができる。
【０１０１】
図４ａ及び図４ｆに示すように、表示パネル１００の第１基板１０がベース基板２２０（または、ＣＯＦパッケージ２００）とボンディングされる際、第２短絡パッドＯＴＳ２は第１及び第３出力パッドＯＴＰ１、ＯＴＰ３を互いに連結し、第３短絡パッドＯＴＳ３は第２及び第４出力パッドＯＴＰ２、ＯＴＰ４を互いに連結することができる。
【０１０２】
したがって、図３ｂを参照して説明したように、第３サブ検査線ＳＴＬ３、第５サブ検査線ＳＴＬ５、及び第２短絡パッドＯＴＳ２により第１サブループが形成され、第４サブ検査線ＳＴＬ４、第６サブ検査線ＳＴＬ６、及び第３短絡パッドＯＴＳ３により第２サブループが形成され、第２検査線ＴＬ２及び第３サブ検査線ＳＴＬ３により第２ループが形成されるのでありうる。
【０１０３】
前述したように、第１検査線ＴＬ１及び第２検査線ＴＬ２の各々は、複数の配線層（即ち、第１導電層Ｌ１及び第２導電層Ｌ３）にまたがって形成されうる。
【０１０４】
なお、ＣＯＦパッケージ２００が、図３ｂに図示された２列に配列されたパッドを含む場合、パッド及び検査線（または、信号線）の間の干渉を防止するために、検査線（及び信号線）が複数の配線層にまたがって形成されうる。即ち、本発明の実施形態に係るＣＯＦパッケージ２００に含まれた検査線は、単一の配線層に形成されることに限定されず、複数の配線層にまたがって形成されうる。
【０１０５】
一方、図４ａ〜図４ｆで、ベース基板２２０は配線形成基材としての一つの絶縁層（即ち、第１絶縁層Ｌ２）を含み、第２検査線ＴＬ２及び第３サブ検査線ＳＴＬ３がビア（via hole）により連結された二つの配線層（即ち、第１導電層Ｌ１及び第２導電層Ｌ３）で形成されるものとして説明したが、本発明はこれに限定されるものではない。例えば、ベース基板２２０が複数の絶縁層を含み、第３〜第６サブ検査線（ＳＴＬ３〜ＳＴＬ６）の各々が複数の絶縁層の上または間に配置された導電層で形成されるのでありうる。
【０１０６】
図５は、図３ａのチップオンフィルムパッケージの一例を示す図であり、図６ａ〜図６ｃは、図５のチップオンフィルムパッケージの例を示す図である。
【０１０７】
図３ａ及び図５を参照すると、図５に図示されたＣＯＦパッケージ２００は、検査パターンＤＰＬ（または、検出パターン）を除いて、図３ａに図示されたＣＯＦパッケージ２００と実質的に同一でありうる。したがって、重複説明は省略する。
【０１０８】
第２検査線ＴＬ２は、第３領域ＡＲ３の一部にて、第１方向（ＤＲ１）に延長され、直線に比べて相対的に長い長さを有する検査パターンＤＰＬを含むことができる。例えば、検査パターンＤＰＬはジグザグ形状を有することができる。例えば、検査パターンＤＰＬは、蛇行状の曲がりくねった線（meander line）をなすものでありうる。
【０１０９】
実施形態で、検査パターンＤＰＬはベンディング領域ＢＡに形成できる。
【０１１０】
前述したように、ベンディング領域ＢＡでの損傷発生の可能性が相対的に高いので、ＣＯＦパッケージ２００（または、第２検査線ＴＬ２）は検査パターンＤＰＬを含むことによって、ベンディング領域ＢＡの損傷に対する検出能力（外部検査装置の検出能力）を向上させることができる。
【０１１１】
実施形態において、ＣＯＦパッケージ２００は、ベンディング領域ＢＡに対応して検査パターンＤＰＬの位置を決定することができる。
【０１１２】
図６ａを参照すると、第１ベンディング領域ＢＡ１が、集積回路チップ２１０を含む、第１方向（表示面に向かって上下の方向）ＤＲ１における中央の領域（即ち、ＣＯＦパッケージ２００の面積重心(centroid)を含む領域）に位置することができる。この場合の検査パターン、すなわち、第１検査パターンＤＰＬ１は、第１ベンディング領域ＢＡ１上に形成できる。また、第１検査パターンＤＰＬ１は、図５に図示された方向と異なる方向（例えば、左右方向でない、向かって上下の方向）に曲がりくねった形態を有し、より広い面積を有し、第１ベンディング領域ＢＡ１に重なるように配置しうる。したがって、ＣＯＦパッケージ２００は、第１ベンディング領域ＢＡ１のうち、相対的に広い領域に対する損傷検出能力を有するだけでなく、第１ベンディング領域ＢＡ１内の損傷に対する敏感度も向上させることができる。
【０１１３】
図６ｂを参照すると、第２ベンディング領域ＢＡ２が、印刷回路基板３００（または第１パッド領域ＡＲ１）に隣接して位置することができる。この場合の検査パターン、すなわち、第２検査パターンＤＰＬ２は、第２ベンディング領域ＢＡ２上に形成できる。したがって、ＣＯＦパッケージ２００は、第２ベンディング領域ＢＡ２のうち、相対的に広い領域に対する損傷検出能力及び第２ベンディング領域ＢＡ２内の損傷に対する敏感度を向上させることができる。
【０１１４】
図６ｃを参照すると、第３ベンディング領域ＢＡ３が、表示パネル１０（または第２パッド領域ＡＲ２）に隣接して位置することができる。この場合の検査パターン、すなわち、第３検査パターン（ＤＰＬ３）は、第３ベンディング領域ＢＡ３上に形成できる。ＣＯＦパッケージ２００は第３ベンディング領域ＢＡ３内の損傷に対する検出能力を向上させることができる。
【０１１５】
前述したように、本発明の実施形態に係るＣＯＦパッケージ２００（または、第２検査線ＴＬ２）は、ベンディング領域ＢＡに形成された検査パターンＤＰＬを含むことによって、ベンディング領域ＢＡに対する損傷検出能力を向上させることができる。一方、図６ａから図６ｃで、第１〜第３検査パターン（ＤＰＬ１〜ＤＰＬ３）は、第１〜第３ベンディング領域（ＢＡ１〜ＢＡ３）にそれぞれ対応して形成されるものとして説明したが、本発明はこれに限定されるものではない。例えば、ベンディング領域ＢＡ以外に損傷がよく発生する領域が存在する場合、ＣＯＦパッケージ２００はベンディング領域ＢＡであるかに関わらず該当領域に検査パターンＤＰＬを含むことができる。
【０１１６】
図７ａから７ｃは、図１の表示装置に含まれたチップオンフィルムパッケージの例を示す図である。
【０１１７】
図７ａを参照すると、ダミーパッドＤＰは第１パッド領域ＡＲ１の最外郭に位置することができる。即ち、ダミーパッドＤＰは第１パッド領域ＡＲ１に含まれたパッドのうち、パッド配列方向（第２方向ＤＲ２）の両端または一端に位置するパッドでありうる。この場合、第２検査線ＴＬ２はＣＯＦパッケージ２００の縁に沿って（または、縁に隣接するように）配列できる。ＣＯＦパッケージ２００の縁から中心へと進展する損傷が容易に検出できる。
【０１１８】
図７ｂを参照すると、ダミーパッドＤＰは、第１パッド領域ＡＲ１における、パッド配列方向（第２方向ＤＲ２）での中心部（例えば、第１表示領域ＡＲ１の幅方向への中心点）に隣接して位置することができる。即ち、ダミーパッドＤＰは、第１パッド領域ＡＲ１に含まれたパッドのうち、相対的に中心点に隣接するパッドでありうる。この場合、第２検査線ＴＬ２は、ＣＯＦパッケージ２００の内側に配置できる。図６ｂに図示された第２ベンディング領域ＢＡ２で発生し、ＣＯＦパッケージ２００における左右方向の中心部から両縁へと進展する損傷が容易に検出できる。
【０１１９】
但し、この場合、ダミーパッドは、第１検査線ＴＬ１から独立して形成されるので、二つのダミーパッドＤＰ１、ＤＰ２が一対をなし、第２検査線ＴＬ２により互いに連結されることで、損傷検出に利用できる。
【０１２０】
図７ｃを参照すると、図７ｂと同様に、ダミーパッドＤＰは、第１パッド領域ＡＲ１におけるパッド配列方向の中心部に隣接して位置することができる。但し、図７ｂに図示された第２検査線ＴＬ２と比較して、図７ｃに図示された第２検査線ＴＬ２は集積回路チップ２１０の外郭に沿って配列され、集積回路チップ２１０を少なくとも三方から取り囲む形態を有することができる。この場合、図６ａに図示された第１ベンディング領域ＢＡ１で発生し、ＣＯＦパッケージ２００の中心部から縁へと進展する損傷が容易に検出できる。
【０１２１】
図７ａ〜図７ｃを参照して説明したように、ベンディング領域ＢＡ及び損傷の種類（または、損傷の進行される特性）を考慮して、ダミーパッドＤＰの位置及び第２検査線ＴＬ２の経路が決定できる。
【０１２２】
なお、図６ａ〜図６ｃ及び図７ａ〜図７ｃの各実施例において、第１検査線のための第１ループをなすように、最外郭から２つ目及び３つ目の入力パッドからそれぞれ延びる配線が、表示パネル１０との端子接続部にて、表示パネル１０上の短絡パッドにより短絡されるのでありうる。
【０１２３】
図８ａは、図１の表示装置に含まれたチップオンフィルムパッケージについての、更に他の例を示す図である。
【０１２４】
図１及び図８ａを参照すると、ＣＯＦパッケージ２００は、ベース基板２２０、複数のパッド（または、複数のパッド端子）、集積回路チップ２１０、第１検査線ＴＬ１、及び第２検査線ＴＬ２を含むことができる。
【０１２５】
ＣＯＦパッケージ２００は、ベンディング領域ＢＡと非ベンディング領域ＮＡを含み、非ベンディング領域ＮＡは第４パッド領域ＡＲ４（または、インナーリードボンディング領域（inner lead bonding area））、第５パッド領域ＡＲ５（または、出力アウターリードボンディング領域（output outer lead bonding area））、及び第６パッド領域ＡＲ６（または、入力アウターリードボンディング領域（input outer lead bonding area））を含むことができる。一方、第４パッド領域ＡＲ４と第５パッド領域ＡＲ５との間には第７領域ＡＲ７が位置し、ベンディング領域ＢＡは、この第７領域ＡＲ７に位置することができる。図３ａに図示されたＣＯＦパッケージ２００と同様に、第５パッド領域ＡＲ５が表示パネル１００にボンディングされる領域でありうる。しかしながら、図３ａに図示されたＣＯＦパッケージ２００とは異なり、第４パッド領域ＡＲ４が集積回路チップ２１０とボンディングされる領域であり得、第６パッド領域ＡＲ６が印刷回路基板３００とボンディングされる領域でありうる。第４パッド領域ＡＲ４は、ＣＯＦパッケージ２００における第１方向（ＤＲ１）の中央部に位置し、第５パッド領域ＡＲ５は、ＣＯＦパッケージ２００における第１方向（ＤＲ１）の一端部に（または、一端に隣接して）位置し、第６パッド領域ＡＲ６はＣＯＦパッケージ２００における第１方向（ＤＲ１）の他端部に（または、他端に隣接して）位置するのでありうる。
【０１２６】
第４パッド領域ＡＲ４は、ダミーパッドＤＰ、インナーパッドＩＮＴＰ１、ＩＮＴＰ２、及び信号パッドＳＰを含むことができる。第５パッド領域ＡＲ５は、出力パッドＯＴＰ１、ＯＴＰ２及び信号パッドＳＰを含むことができる。第６パッド領域ＡＲ６は、入力パッドＩＴＰ１、ＩＴＰ２及び信号パッドＳＰを含むことができる。
【０１２７】
第１検査線ＴＬ１は、ベース基板２２０に形成され、第１インナーパッドＩＮＴＰ１及び第２インナーパッドＩＮＴＰ２に連結できる。第１検査線ＴＬ１は第５パッド領域ＡＲ５を経由して第１インナーパッドＩＮＴＰ１及び第２インナーパッドＩＮＴＰ２の間に第１ループを形成することができる。
【０１２８】
第２検査線ＴＬ２はベース基板２２０に形成され、かつ第７領域ＡＲ７を経由し、ダミーパッドＤＰ及び第１検査線ＴＬ１と連結されてダミーパッドＤＰ及び第１インナーパッドＩＮＴＰ１の間に第２ループを形成することができる。
【０１２９】
図８ａに図示されたダミーパッドＤＰ、第１及び第２検査線ＴＬ１、ＴＬ２の連結構成は、図３ａを参照して説明したダミーパッドＤＰ、第１及び第２検査線ＴＬ１、ＴＬ２の連結構成と実質的に同一でありうる。したがって、重複説明は省略する。
【０１３０】
この場合、集積回路チップ２１０は、図３ａを参照して説明した外部検査装置と同様に、第１インナーパッドＩＮＴＰ１及び第２インナーパッドＩＮＴＰ２のうちの一つ（例えば、第１インナーパッドＩＮＴＰ１）に第１検査信号を印加し、第１インナーパッドＩＮＴＰ１及び第２インナーパッドＩＮＴＰ２のうちの異なる一つ（例えば、第２インナーパッドＩＮＴＰ２）を通じて第１測定信号を受信し、第１検査信号及び第１測定信号に基づいてＣＯＦパッケージ２００の損傷の有無を判断することができる。例えば、集積回路チップ２１０は、第１インナーパッドＩＮＴＰ１と第２入力インナーパッドＩＮＴＰ２との間に、第１検査電圧を印加し、第２インナーパッドＩＮＴＰ２を通じて第１測定電流を受信し、第１検査電圧及び第１測定電流に基づいて、第１ループの第１抵抗値を算出することができる。ここで、第１ループの第１抵抗値は、第１及び第２インナーパッドＩＮＴＰ１、ＩＮＴＰ２の抵抗値（または、圧着抵抗値、ボンディング抵抗値、接触抵抗値）、第１及び第２出力パッドＯＴＰ１、ＯＴＰ２の抵抗値、及び第１検査線ＴＬ１の抵抗値を含み、前述した＜数式１＞のように表現できる。
【０１３１】
また、集積回路チップ２１０は、ダミーパッドＤＰ及び第１インナーパッドＩＮＴＰ１のうちの一つ（例えば、第１インナーパッドＩＮＴＰ１）に第２検査信号を印加し、ダミーパッドＤＰ及び第１インナーパッドＩＮＴＰ１のうちの異なる一つ（例えば、ダミーパッドＤＰ）を通じて第２測定信号を受信し、第２検査信号及び第２測定信号に基づいて、ＣＯＦパッケージ２００の損傷発生の位置／原因を判断することができる。例えば、集積回路チップ２１０は、ダミーパッドＤＰと第１インナーパッドＩＮＴＰ１との間に第２検査電圧を印加し、ダミーパッドＤＰを通じて第２測定電流を受信し、第２検査電圧及び第２測定電流に基づいて、第２ループの第２抵抗値を算出することができる。ここで、第２ループの第２抵抗値は、ダミーパッドＤＰ及び第１インナーパッドＩＮＴＰ１の抵抗値（または、圧着抵抗値、ボンディング抵抗値、接触抵抗値）及び第２検査線ＴＬ２の抵抗値を含み、前述した＜数式２＞のように表現できる。
【０１３２】
したがって、集積回路チップ２１０は、＜数式１＞及び＜数式２＞（または、＜数式３＞及び＜数式４＞）に基づいて、出力パッドＯＴＰ１、ＯＴＰ２及び検査線ＴＬ１、ＴＬ２の抵抗値をそれぞれ算出することができ、抵抗値の変化に基づいて損傷発生位置を判断することができる。
【０１３３】
集積回路チップ２１０は、表示装置１０００の正常駆動中にも、ＣＯＦパッケージ２００内の損傷発生の有無を持続的に検出（または、モニタリング）することができる。また、集積回路チップ２１０は、モニタリング結果を外部構成要素（例えば、アプリケーションプロセッサ（application processor））に転送し、外部構成要素は、モニタリング結果に基づいて表示装置１０００の動作を制御することができる。例えば、ＣＯＦパッケージ２００内の損傷が発生した場合、アプリケーションプロセッサは、モニタリング結果により表示パネル１００上の映像表示を中断させることができる。
【０１３４】
一実施形態で、集積回路チップ２１０は、ダミーパッドＤＰ及び第２インナーパッドＩＮＴＰ２を比較的短い経路で連結し、ダミーパッドＤＰと第２インナーパッドＩＮＴＰ２との間に第３検査電圧を印加し、ダミーパッドＤＰを通じて第３測定電流を受信し、第３検査電圧及び第３測定電流に基づいて、インナーパッドＩＮＴＰ１、ＩＮＴＰ２の抵抗値を算出することができる。
【０１３５】
一実施形態で、ＣＯＦパッケージ２００は、ベース基板２２０に形成されるダミー線ＤＬ（図８ａ）をさらに含むことができる。ダミー線ＤＬは、第５パッド領域ＡＲ５（または、ベース基板２２０の一辺の近傍）から第６パッド領域ＡＲ６（または、この逆側にあるベース基板２２０の他辺の近傍）までベース基板２２０を横切り、第１方向（ＤＲ１）に延長できる。この場合、第２検査線ＴＬ２は、ダミー線ＤＬの少なくとも一部を含むことができる。
【０１３６】
例えば、ＣＯＦパッケージ２００は、第５パッド領域ＡＲ５に形成された出力ダミーパッドＯＤＰ及び第６パッド領域ＡＲ６に形成された入力ダミーパッドＩＤＰ（図８ａ）をさらに含み、この場合、ダミー線ＤＬは、出力ダミーパッドＯＤＰと入力ダミーパッドＩＤＰとを連結することができる。図８に図示された第１方向（ＤＲ１）を基準に、第１及び第２検査線ＴＬ１、ＴＬ２は、ＣＯＦパッケージ２００の全領域をカバーできず、ＣＯＦパッケージ２００の一部の領域（例えば、半分の領域）だけをカバーすることができる。したがって、ダミー線ＤＬは、ＣＯＦパッケージ２００の製造工程で、ＣＯＦパッケージ２００における全体的な欠陥の有無を一度に判断するために形成され、ＣＯＦパッケージ２００が表示パネル１００及び印刷回路基板３００と結合／連結された以後には使われないのでありうる。
【０１３７】
一方、本発明の実施形態に係るＣＯＦパッケージ２００は、ダミーパッドＤＰ（即ち、アラインキーを含み、一般的に使われないパッド）及びダミー線ＤＬ（即ち、ＣＯＦパッケージ２００の製造工程時、クラック検出用に形成され、表示装置１００では使われない配線）を用いて、第２検査線ＴＬ２（または、第２ループ）を形成することができる。したがって、ＣＯＦパッケージ２００は、損傷発生の有無及び位置／原因に対する、より迅速でかつ正確な把握／分析を可能にすることができる。
【０１３８】
一方、第１及び第２検査線ＴＬ１、ＴＬ２の構成は、図８ａに図示された構成に限定されるものではない。例えば、第２検査線ＴＬ２は、図４ａ〜図４ｆに図示された第２検査線ＴＬ２と同様に、複数の層にまたがり、図５に図示された第２検査線ＴＬ２と同様に、検査パターンＤＰＬを含むのでありうる。また、第２検査線ＴＬ２の配列／構造及び検査パターンＤＰＬの位置は、図６ａ〜図６ｃ及び図７ａ〜図７ｃに図示された第２検査線ＴＬ２と同様に、ベンディング領域ＢＡの位置、損傷（例えば、頻繁に発生する損傷）の種類／原因などに基づいて決定できる。
【０１３９】
図８ｂは、図１の表示装置に含まれたチップオンフィルムパッケージについての更に他の例を示す図である。
【０１４０】
図８ａ及び図８ｂを参照すると、図８ｂに図示されたＣＯＦパッケージ２００は、出力パッド（ＯＴＰ１〜ＯＴＰ４）の配列及び第１検査線ＴＬ１の連結構成を除いて、図８ａに図示されたＣＯＦパッケージ２００と実質的に同一または同様でありうる。また、出力パッド（ＯＴＰ１〜ＯＴＰ４）の配列及び第１検査線ＴＬ１の連結構成は、図３ｂに図示された出力パッド（ＯＴＰ１〜ＯＴＰ４）の配列及び第１検査線ＴＬ１の連結構成と、実質的に同一でありうる。したがって、重複説明は省略する。
【０１４１】
図３ｂを参照して説明したように、集積回路チップ２１０は、第１ループの第１抵抗値及び第２ループの第２抵抗値を算出し、第１抵抗値及び第２抵抗値に基づいて出力パッド及びベンディング領域のうち、少なくとも一つでの損傷発生の有無を判断することができる。
【０１４２】
例えば、集積回路チップ２１０は、第１インナーパッドＩＮＴＰ１と第３インナーパッドＩＮＴＰ３との間に第１検査電圧を印加し、第３インナーパッドＩＮＴＰ３を通じて第１測定電流を受信し、第１検査電圧及び第１測定電流に基づいて、第１ループの第１抵抗値を算出することができる。ここで、第１ループの第１抵抗値は、第１及び第３インナーパッドＩＮＴＰ１、ＩＮＴＰ３の抵抗値（または、圧着抵抗値、ボンディング抵抗値、接触抵抗値）、第１〜第４出力パッド（ＯＴＰ１〜ＯＴＰ４）の抵抗値及び第１検査線ＴＬ１の抵抗値を含み、前述した＜数式５＞と実質的に同一に表現できる。
【０１４３】
第１ループの第１抵抗値が基準抵抗値の誤差範囲から外れた場合（特に、基準抵抗値より大きい場合）、集積回路チップ２１０は、ＣＯＦパッケージ２００内の損傷が発生したと判断することができる。
【０１４４】
例えば、集積回路チップ２１０は、第３インナーパッドＩＮＴＰ３と第４インナーパッドＩＮＴＰ４との間に、第４検査電圧を印加することによって、第４パッド領域ＡＲ４での損傷発生の有無を判断することができる。また、集積回路チップ２１０は、ダミーパッドＤＰと第１インナーパッドＩＮＴＰ１との間に第２検査電圧を印加することによって、前述した＜数式３＞に基づいて、ベンディング領域ＢＡなどでの損傷発生の有無を判断することができる。延いては、集積回路チップ２１０は、＜数式３＞及び＜数式５＞に基づいて、第５パッド領域ＡＲ５での損傷発生の有無を判断することができる。同様に、集積回路チップ２１０は、第５パッド領域ＡＲ５のうち、第１サブパッド領域ＡＲＳ１及び第２サブパッド領域ＡＲＳ２での損傷発生の有無をそれぞれ判断することができる。
【０１４５】
図８ａを参照して説明したように、集積回路チップ２１０は、表示装置１０００の正常駆動中にも、ＣＯＦパッケージ２００内の損傷発生の有無を持続的に検出（または、モニタリング）することができる。また、集積回路チップ２１０はモニタリング結果を外部構成要素（例えば、アプリケーションプロセッサ（application processor））に転送し、外部構成要素はモニタリング結果に基づいて表示装置１０００の動作を制御することができる。
【０１４６】
図９は、図１の表示装置の一例を示す断面図である。
【０１４７】
図１及び図９を参照すると、表示装置１０００は、表示パネル１００、ＣＯＦパッケージ２００、及び印刷回路基板３００を含むことができる。表示パネル１００、ＣＯＦパッケージ２００、及び印刷回路基板３００は、ＣＯＦパッケージ２００の代りに表示パネル１００が撓むという点を除いて、図２を参照して説明した表示パネル１００、ＣＯＦパッケージ２００、及び印刷回路基板３００と実質的に同一でありうる。したがって、重複説明は省略する。
【０１４８】
表示パネル１００は第１基板１０及び第２基板２０を含み、第１基板１０は画素及び駆動回路（例えば、ゲートドライバなど）を含むことができる。第１基板１０は柔軟な基板でありうる。第２基板２０は、第１基板１０に形成された画素などを密封するものであり、柔軟な材質で具現できる。表示パネル１００は、“Ｃ”字状に撓んだ状態で、ＣＯＦパッケージ２００（または、印刷回路基板３００）と連結できる。
【０１４９】
図１０は、図９の表示装置に含まれた表示パネルの一例を示す図である。
【０１５０】
図９及び図１０を参照すると、表示パネル１００は、第１基板１０（または、ベース基板、ベースフィルム、フレキシブル基板）、複数のパッド（または、複数のパッド端子）、第１検査線ＴＬ１、及び第２検査線ＴＬ２を含むことができる。
【０１５１】
ベンディングする前の図１０の平面図に示すように、表示パネル１００は、パネルベンディング領域ＰＢＡとパネル非ベンディング領域ＰＮＡを含むことができる。前述した図２のベンディング領域ＢＡと同様に、パネルベンディング領域ＰＢＡは、表示パネル１００が撓むことによって実際にベンディングが発生する領域でありうる。例えば、表示パネル１００がフォルダブル表示パネルの場合、パネルベンディング領域ＰＢＡは、表示パネル１００がフォルディングされる領域でありうる。パネルベンディング領域ＰＢＡは、第１方向（ＤＲ１）に一定の幅を有し、第２方向（ＤＲ２）に延長できる。パネル非ベンディング領域ＰＮＡは、表示パネル１００が撓んでもベンディングが発生しない領域でありうる。パネル非ベンディング領域ＰＮＡは、第１基板１０におけるパネルベンディング領域ＰＢＡを除外した領域でありうる。
【０１５２】
パネル非ベンディング領域ＰＮＡは、第８パッド領域ＡＲ８を含むことができる。第８パッド領域ＡＲ８はＣＯＦパッケージ２００（または、印刷回路基板３００）にボンディングされる領域であって、ダミーパッドＤＰ及びパッドＰ１、Ｐ２を含むことができる。第８パッド領域ＡＲ８は、表示パネル１００における第１方向（ＤＲ１）の一端部に位置することができる。
【０１５３】
第１検査線ＴＬ１は、第１基板１０に形成され、第１パッドＰ１及び第２パッドＰ２に連結できる。第１検査線ＴＬ１は、第１基板１０の外郭部（または、縁部）の少なくとも一部を経由して、第１パッドＰ１と第２パッドＰ２との間に第１ループを形成することができる。第１検査線ＴＬ１は、少なくとも二つの直線ＳＬ１、ＳＬ２を含むことができる。少なくとも二つの直線ＳＬ１、ＳＬ２は、第２方向（ＤＲ２）に相互離隔し、第１方向（ＤＲ１）に延長できる。これら２つの直線部分は、例えば、表示パネル１００における、入力側（第８パッド領域ＡＲ８の側）とは逆側の端部にて、互いに連結されることで、第１ループを形成するのでありうる。このようであると、ベンディング可能な表示パネルにおける左右の端部での断線などの不良を検知することができる。
【０１５４】
第２検査線ＴＬ２は、第１基板１０に形成され、パネルベンディング領域ＰＢＡを経由し、ダミーパッドＤＰ及び第１検査線ＴＬ１と連結されて、ダミーパッドＤＰと第１パッドＰ１との間に第２ループを形成することができる。また、第２検査線には、適宜、ジグザグ状、蛇行状などの配線により、上述の実施形態と同様の検査パターンを設けることができる。また、図には示さないが、第３検査線を、先の実施形態と同様に設けることもできる。
【０１５５】
一実施形態で、ダミーパッドはアラインキー（align key）ＡＫを含むことができる。前述したように、アラインキー（align key）は、表示パネル１００のパッドＰ１、Ｐ２及び信号パッドＳＰと、ＣＯＦパッケージ２００または印刷回路基板３００の端子群との間の整列状態を判断する基準に利用されるか、または、ＣＯＦパッケージ２００または印刷回路基板３００が表示パネル１００に連結される際に、ＣＯＦパッケージ２００または印刷回路基板３００と表示パネル１００との間の整列状態を判断する基準に利用されるのでありうる。
【０１５６】
この場合、図３ａを参照して説明したように、外部検査装置を用いて表示パネル１００の損傷発生の有無を判断することができる。外部検査装置は、第１パッドＰ１及び第２パッドＰ２を用いて、第１及び第２パッドＰ１、Ｐ２及び第１検査線ＴＬ１（または、表示パネルの縁）の損傷発生の有無を判断することができる。また、外部検査装置は、第１パッドＰ１及びダミーパッドＤＰを用いて、パネルベンディング領域ＰＢＡの損傷発生の有無を判断することができる。
【０１５７】
例えば、第１検査線ＴＬ１は、図３ａを参照して説明した第１検査線ＴＬ１と同様に、パッドＰ１、Ｐ２以外の他のパッド、または構成要素と連結されて第１ループを形成することができる。この場合、第１ループを用いて表示パネル１００内の損傷発生の有無は速かに把握できるが、損傷発生の位置／原因などに対しては把握できないことがある。したがって、本発明の実施形態に係る表示パネル１００は、第２検査線ＴＬ２をさらに含むことによって、パネルベンディング領域ＰＢＡの損傷に対する検出をより容易にすることができる。
【０１５８】
一方、第１及び第２検査線ＴＬ１、ＴＬ２の構成は、図１０に図示された構成に限定されるものではない。例えば、表示パネル１００が２列に配列されたパッドを含む場合、第１検査線ＴＬ１は、図３ｂに図示された第１検査線ＴＬ１と実質的に同一に形成できる。例えば、第２検査線ＴＬ２は、図４ａ〜図４ｆに図示された第２検査線ＴＬ２と同様に、複数の層のサブ検査線で形成され、サブ検査線はベース基板の複数の配線層にそれぞれ配置できる。図５に図示された第２検査線ＴＬ２と類似するように、検査パターンＤＰＬを含むことができる。また、第２検査線ＴＬ２の配列／構造及び検査パターンＤＰＬの位置は、図６ａ〜図６ｃ及び図７ａ〜図７ｃに図示された第２検査線ＴＬ２と同様に、パネルベンディング領域ＰＢＡの位置、損傷（例えば、頻繁に発生する損傷）の種類／原因などに基づいて決定できる。
【０１５９】
たとえ、前記ではダミーパッドとアラインキーが区分されるものとして説明したが、ダミーパッドとアラインキーは一体に形成できる。例えば、ダミーパッドはアラインキーとしての突出部を含むことができる。
【０１６０】
以上、本発明の実施形態に係るチップオンフィルムパッケージ、表示パネル、及び表示装置に対して図面を参照して説明したが、前記説明は例示的なものであって、本発明の技術的思想を逸脱しない範囲で該当技術分野における通常の知識を有する者により修正及び変更できるものである。
【産業上の利用可能性】
【０１６１】
本発明の実施形態に係る表示装置を含む電子機器に適用できる。例えば、表示装置は、テレビ、コンピュータモニター、ラップトップ、セルラーフォン、スマートフォン、ＰＤＡなどに適用できる。
【符号の説明】
【０１６２】
１０      第１基板
２０      第２基板
１００    表示パネル
２００    チップオンフィルムパッケージ
２１０    集積回路チップ
２２０    ベース基板
３００    印刷回路基板
１０００  表示装置
【図１】
2018128672.tif 000003
【図２】
2018128672.tif 000004
【図３ａ】
2018128672.tif 000005
【図３ｂ】
2018128672.tif 000006
【図４ａ】
2018128672.tif 000007
【図４ｂ】
2018128672.tif 000008
【図４ｃ】
2018128672.tif 000009
【図４ｄ】
2018128672.tif 000010
【図４ｅ】
2018128672.tif 000011
【図４ｆ】
2018128672.tif 000012
【図５】
2018128672.tif 000013
【図６ａ】
2018128672.tif 000014
【図６ｂ】
2018128672.tif 000015
【図６ｃ】
2018128672.tif 000016
【図７ａ】
2018128672.tif 000017
【図７ｂ】
2018128672.tif 000018
【図７ｃ】
2018128672.tif 000019
【図８ａ】
2018128672.tif 000020
【図８ｂ】
2018128672.tif 000021
【図９】
2018128672.tif 000022
【図１０】
2018128672.tif 000023